(57)【特許請求の範囲】
【請求項１】
楽曲単位で音楽データが記録されており、各楽曲が複数のフォルダごとに分類され、各フォルダ内の再生順序にしたがったトラック番号が各楽曲に対して設定されている記録手段と、
前記複数のフォルダにそれぞれ対応する複数の図形を含むフォルダ一覧画面を表示モニタに画面表示し、各図形における領域内の各位置が当該フォルダ内の各楽曲のトラック番号にそれぞれ対応付けられているフォルダ一覧画面表示手段と、
前記表示モニタに対するタッチ操作を検出するタッチパネル手段と、
前記フォルダ一覧画面内の各図形のうちいずれかの図形の領域内を指定するタッチ操作が前記タッチパネル手段により検出された場合、当該図形に対応するフォルダ内の各楽曲をそのタッチ位置に対応するトラック番号から始まる再生順序で再生することにより、楽曲の再生位置を制御する再生位置制御手段とを備えることを特徴とする車載情報端末。
【請求項２】
請求項１の車載情報端末において、
前記複数のフォルダのうちいずれか一つのフォルダ内の各楽曲にそれぞれ対応する複数の図形を含むトラック一覧画面を前記表示モニタに画面表示し、各図形における領域内の各位置が当該楽曲の再生経過時間にそれぞれ対応付けられているトラック一覧画面表示手段をさらに備え、
前記再生位置制御手段は、前記トラック一覧画面内の各図形のうちいずれかの図形の領域内を指定するタッチ操作が前記タッチパネル手段により検出された場合、当該図形に対応する楽曲をそのタッチ位置に対応する再生経過時間から再生することにより、楽曲の再生位置を制御することを特徴とする車載情報端末。
【請求項３】
請求項２の車載情報端末において、
前記トラック一覧画面表示手段は、前記フォルダ一覧画面において前記複数の図形のうちいずれかの図形に対して前記トラック一覧画面の表示を要求するタッチ操作が前記タッチパネル手段により検出された場合に、当該図形に対応するフォルダ内の各楽曲にそれぞれ対応する複数の図形を含むトラック一覧画面を前記表示モニタに画面表示し、
前記フォルダ一覧画面表示手段は、前記トラック一覧画面において前記フォルダ一覧画面の表示を要求するタッチ操作が前記タッチパネル手段により検出された場合に、そのトラック一覧画面における各楽曲が属するフォルダに対応する図形を含むフォルダ一覧画面を前記表示モニタに画面表示することを特徴とする車載情報端末。
【請求項４】
請求項２または３の車載情報端末において、
前記表示モニタに前記フォルダ一覧画面が表示されている場合は、そのフォルダ一覧画面内の各図形のうち現在再生中の楽曲が属するフォルダに対応する図形において、当該楽曲のトラック番号に対応する位置に、現在の楽曲の再生位置を示す再生位置マーカを表示し、
前記表示モニタに前記トラック一覧画面が表示されている場合は、そのトラック一覧画面内の各図形のうち現在再生中の楽曲に対応する図形において、当該楽曲の再生経過時間に対応する位置に、前記再生位置マーカを表示する再生位置表示手段をさらに備えることを特徴とする車載情報端末。
【請求項５】
請求項２〜４のいずれかの車載情報端末において、
前記トラック一覧画面内の各図形に対して、当該図形に対応する楽曲の先頭からの再生経過時間を表す数字を、当該楽曲の総再生時間に応じたスケール間隔ごとに、当該図形の対応する各位置に付してそれぞれ表示することにより、前記トラック一覧画面内の各図形における領域内の位置と前記再生経過時間との関係を表す再生時間スケールを前記トラック一覧画面において表示する再生時間スケール表示手段をさらに備え、
前記再生時間スケール表示手段は、前記総再生時間に応じたスケール間隔が所定値以下となる場合、前記数字を間引いて前記再生時間スケールを表示することを特徴とする車載情報端末。
【請求項６】
請求項２〜５のいずれかの車載情報端末において、
前記トラック一覧画面内の各図形に対して、当該図形に対応する楽曲のトラック名をそれぞれ表示することを特徴とする車載情報端末。
【請求項７】
請求項１〜６のいずれかの車載情報端末において、
前記フォルダ一覧画面内の各図形に対して、当該図形に対応するフォルダ内の各楽曲に対するトラック番号を当該図形の対応する各位置に付してそれぞれ表示することにより、前記フォルダ一覧画面内の各図形における領域内の位置と前記トラック番号との関係を表すトラック番号スケールを前記フォルダ一覧画面において表示するトラック番号スケール表示手段をさらに供え、
前記トラック番号スケール表示手段は、楽曲数が所定数を超えるフォルダに対しては、前記トラック番号スケールにおいて表示するトラック番号を変化させるためのスケール増加ボタンまたはスケール減少ボタンのいずれか少なくとも一方を前記トラック番号スケールと共に表示し、前記スケール増加ボタンまたは前記スケール減少ボタンに対する操作が前記タッチパネル手段により検出されると、当該ボタンに応じて前記トラック番号スケールのトラック番号を増加または減少させることを特徴とする車載情報端末。
【請求項８】
請求項１〜７のいずれかの車載情報端末において、
前記フォルダ一覧画面内の各図形に対して、当該図形に対応するフォルダ名をそれぞれ表示することを特徴とする車載情報端末。
【発明の詳細な説明】
【技術分野】
【０００１】
本発明は、音楽再生機能を備えた車載情報端末に関する。
【背景技術】
【０００２】
車両に搭載して音楽を再生出力する車両用オーディオ装置が広く知られている。たとえば、非特許文献１には、車両を目的地まで案内するためのナビゲーション機能に加えて、音楽ＣＤから音楽データを取り込んでハードディスク（ＨＤＤ）に記録しておき、必要に応じて再生出力するものが開示されている。
【０００３】
【非特許文献１】特許庁  標準技術集  「カーナビゲーション装置のユーザーインターフェイス」主分類６−Ｃ−１ａ
【発明の開示】
【発明が解決しようとする課題】
【０００４】
非特許文献１に開示されるような従来の車両用オーディオ装置では、ユーザが楽曲の中で聞きたい部分を指定して再生できるようにするため、通常は早送りや巻き戻し、頭出しなどの操作ボタンが配置されている。しかし、これらの操作ボタンにより聞きたい部分を指定するためには、早送りや巻き戻しボタンを押し続けたり、頭出しボタンを何回も押したりする必要がある。車両の運転中にこうした操作を行うことは困難であるため、簡単な操作で聞きたい部分を指定できるようにしたいという要望がある。
【課題を解決するための手段】
【０００５】
請求項１の発明による車載情報端末は、楽曲単位で音楽データが記録されており、各楽曲が複数のフォルダごとに分類され、各フォルダ内の再生順序にしたがったトラック番号が各楽曲に対して設定されている記録手段と、複数のフォルダにそれぞれ対応する複数の図形を含むフォルダ一覧画面を表示モニタに画面表示し、各図形における領域内の各位置が当該フォルダ内の各楽曲のトラック番号にそれぞれ対応付けられているフォルダ一覧画面表示手段と、表示モニタに対するタッチ操作を検出するタッチパネル手段と、フォルダ一覧画面内の各図形のうちいずれかの図形の領域内を指定するタッチ操作がタッチパネル手段により検出された場合、当該図形に対応するフォルダ内の各楽曲をそのタッチ位置に対応するトラック番号から始まる再生順序で再生することにより、楽曲の再生位置を制御する再生位置制御手段とを備えるものである。
請求項２の発明は、請求項１の車載情報端末において、複数のフォルダのうちいずれか一つのフォルダ内の各楽曲にそれぞれ対応する複数の図形を含むトラック一覧画面を表示モニタに画面表示し、各図形における領域内の各位置が当該楽曲の再生経過時間にそれぞれ対応付けられているトラック一覧画面表示手段をさらに備え、再生位置制御手段は、トラック一覧画面内の各図形のうちいずれかの図形の領域内を指定するタッチ操作がタッチパネル手段により検出された場合、当該図形に対応する楽曲をそのタッチ位置に対応する再生経過時間から再生することにより、楽曲の再生位置を制御するものである。
請求項３の発明は、請求項２の車載情報端末において、トラック一覧画面表示手段は、フォルダ一覧画面において複数の図形のうちいずれかの図形に対してトラック一覧画面の表示を要求するタッチ操作がタッチパネル手段により検出された場合に、当該図形に対応するフォルダ内の各楽曲にそれぞれ対応する複数の図形を含むトラック一覧画面を表示モニタに画面表示し、フォルダ一覧画面表示手段は、トラック一覧画面においてフォルダ一覧画面の表示を要求するタッチ操作がタッチパネル手段により検出された場合に、そのトラック一覧画面における各楽曲が属するフォルダに対応する図形を含むフォルダ一覧画面を表示モニタに画面表示するものである。
請求項４の発明は、請求項２または３の車載情報端末において、表示モニタにフォルダ一覧画面が表示されている場合は、そのフォルダ一覧画面内の各図形のうち現在再生中の楽曲が属するフォルダに対応する図形において、当該楽曲のトラック番号に対応する位置に、現在の楽曲の再生位置を示す再生位置マーカを表示し、表示モニタにトラック一覧画面が表示されている場合は、そのトラック一覧画面内の各図形のうち現在再生中の楽曲に対応する図形において、当該楽曲の再生経過時間に対応する位置に、再生位置マーカを表示する再生位置表示手段をさらに備えるものである。
請求項５の発明は、請求項２〜４のいずれかの車載情報端末において、トラック一覧画面内の各図形に対して、当該図形に対応する楽曲の先頭からの再生経過時間を表す数字を、当該楽曲の総再生時間に応じたスケール間隔ごとに、当該図形の対応する各位置に付してそれぞれ表示することにより、トラック一覧画面内の各図形における領域内の位置と再生経過時間との関係を表す再生時間スケールをトラック一覧画面において表示する再生時間スケール表示手段をさらに備え、この再生時間スケール表示手段は、総再生時間に応じたスケール間隔が所定値以下となる場合、数字を間引いて再生時間スケールを表示するものである。
請求項６の発明は、請求項２〜５のいずれかの車載情報端末において、トラック一覧画面内の各図形に対して、当該図形に対応する楽曲のトラック名をそれぞれ表示するものである。
請求項７の発明は、請求項１〜６のいずれかの車載情報端末において、フォルダ一覧画面内の各図形に対して、当該図形に対応するフォルダ内の各楽曲に対するトラック番号を当該図形の対応する各位置に付してそれぞれ表示することにより、フォルダ一覧画面内の各図形における領域内の位置とトラック番号との関係を表すトラック番号スケールをフォルダ一覧画面において表示するトラック番号スケール表示手段をさらに供え、このトラック番号スケール表示手段は、楽曲数が所定数を超えるフォルダに対しては、トラック番号スケールにおいて表示するトラック番号を変化させるためのスケール増加ボタンまたはスケール減少ボタンのいずれか少なくとも一方をトラック番号スケールと共に表示し、スケール増加ボタンまたはスケール減少ボタンに対する操作がタッチパネル手段により検出されると、当該ボタンに応じてトラック番号スケールのトラック番号を増加または減少させるものである。
請求項８の発明は、請求項１〜７のいずれかの車載情報端末において、フォルダ一覧画面内の各図形に対して、当該図形に対応するフォルダ名をそれぞれ表示するものである。
【発明の効果】
【０００６】
本発明によれば、音楽を再生出力するときに、ユーザのタッチ操作による簡単な操作で聞きたい部分を指定することができる。
【発明を実施するための最良の形態】
【０００７】
本発明の一実施形態による音楽データ記録再生機能付き車載ナビゲーション装置の構成を図１に示す。このナビゲーション装置１は、出発地から目的地までの推奨経路を地図上に表示して車両を目的地まで案内する一般的なナビゲーション機能を有している。さらに加えて、音楽ＣＤから音楽データを取り込んで記録しておき、必要に応じて再生出力する音楽データの記録再生機能も有している。図１に示すように、ナビゲーション装置１はナビゲーション部１０、音楽データ記録再生部１１、モニタ１２、ＨＤＤ１３、およびＣＤ／ＤＶＤドライブ１４を有している。音楽データ記録再生部１１には、入力された音声信号を不図示のスピーカへ出力して音声を出力するためのオーディオ装置２が接続されている。
【０００８】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１２に車両を目的地まで誘導するための地図表示などを行うことで、ナビゲーション装置１においてナビゲーション機能が実現される。
【０００９】
上記のように、入力操作部１０３を操作して目的地を設定することで、ユーザはナビゲーション装置１に対してナビゲーション機能の実行を要求することができる。さらにユーザは、入力操作部１０３の操作により、音楽データの記録再生機能の実行をナビゲーション装置１に対して要求することもできる。音楽データの記録再生機能の要求がユーザによって行われると、その要求内容は音楽データ記録再生部１１に通知される。
【００１０】
なお、入力操作部１０３には、モニタ１２と一体化されたタッチパネルが用いられる。すなわち、モニタ１２上の任意の位置をユーザが押すことにより、その押された位置の画面表示内容に従って、ナビゲーション機能または音楽データの記録再生機能の様々な処理がナビゲーション装置１において実行される。
【００１１】
音楽データ記録再生部１１は、ユーザからの要求に応じて音楽データの記録再生処理を実行するための構成部分であり、制御部１１１および再生出力部１１２を有している。音楽データの記録を行う場合には、制御部１１１においてＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１２】
一方、音楽データの再生を行う場合には、前述のリッピング処理によってＨＤＤ１３に記録された音楽データ、あるいは、ＣＤ／ＤＶＤドライブ１４にセットされた音楽ＣＤに記録された音楽データのいずれかを再生することができる。ユーザは、再生する音楽データを楽曲ごとに指定することもできるし、複数の楽曲をまとめてアルバム単位で指定することもできる。
【００１３】
再生する音楽データが指定されると、制御部１１１においてＨＤＤ１３とＣＤ／ＤＶＤドライブ１４のいずれかを制御してその音楽データを読み込み、読み込まれた音楽データを再生出力部１１２において音声信号に変換することにより、オーディオ装置２に音声信号が出力されて、スピーカから音楽が再生出力される。このようにして、ＨＤＤ１３や音楽ＣＤに記録された音楽データの楽曲を再生することができる。なお、このとき音楽ＣＤの再生と並行してリッピング処理を行うこともできる。
【００１４】
ＨＤＤ１３において音楽データを記録する際には、その曲名（トラック名）やアーティスト名も一緒に記録される。複数の楽曲を組み合わせたアルバム単位でＨＤＤ１３に記録することもでき、この場合にはトラック名と共にアルバム名も記録される。アルバム単位で記録した場合は、そのアルバムに含まれる各楽曲の音楽データが１つのフォルダ内に記録され、アルバム名を用いてフォルダ名が設定される。その後、ユーザが任意の楽曲同士を１つのフォルダにまとめ、任意のフォルダ名をつけておくこともできる。
【００１５】
楽曲の再生出力中にモニタ１２に表示される画面の例を図２と図３に示す。図２（ａ）および（ｂ）は、再生中の楽曲情報をフォルダ単位で一覧表示した画面例であり、フォルダ一覧画面という。このフォルダ一覧画面では、再生可能な音楽データ、すなわちＨＤＤ１３に記録された音楽データまたはＣＤ／ＤＶＤドライブ１４にセットされた音楽ＣＤに記録された音楽データについて、その音楽データが記録されているフォルダ名のリストが一覧表示される。ここで表示されるフォルダ名は、前述のように音楽ＣＤのアルバム名でもよいし、あるいはユーザが任意に設定したものでもよい。
【００１６】
符号２１に示す再生情報表示ウィンドウには、再生中の楽曲のフォルダ名およびトラック名が表示されるとともに、再生時間としてフォルダ単位での再生経過時間が表示される。図２（ａ）では、フォルダ名として「フォルダＡ」、トラック名として「トラックＡ６」が表示されている例を示している。なお、トラック名の前の数字は、フォルダ内の各楽曲に対して設定されたトラック番号である。このトラック番号は、フォルダ内に存在する複数の楽曲における再生順序にしたがって設定される。
【００１７】
符号２２に示すフォルダ名リストには、再生対象とする楽曲が入ったフォルダ名の１つが表示される。図２（ａ）の例では、「フォルダＡ」のフォルダ名が表示されている。同様に、「フォルダＢ」、「フォルダＣ」および「フォルダＤ」を合わせた合計４つのフォルダ名がリスト表示されている。これらの各フォルダにはそれぞれ複数の楽曲が属している。このうち「フォルダＡ」のフォルダ名リストは反転表示されており、現在再生中のフォルダであることを表している。なお、画面内に再生対象のフォルダ名を表示しきれない場合は、符号２８に示すスクロールバーの操作によって残りのフォルダ名を表示させることができる。
【００１８】
符号２３に示す操作ボタンは、フォルダ内にある楽曲のトラック名をリスト表示させるための操作ボタンであり、トラックリスト表示ボタンと呼ばれる。ユーザがトラック表示ボタン２３をタッチパネル上でタッチすることにより、画面内容が切り替えられ、フォルダＡ内に含まれる楽曲のトラック名のリストが一覧表示される。なお、このとき表示される画面の内容については、後で図３を用いて詳しく説明する。同様の操作により、フォルダ名リストに表示されているフォルダＢ、フォルダＣおよびフォルダＤについても、そのフォルダ内の楽曲のトラック名のリストを一覧表示させることができる。
【００１９】
ところで、フォルダ名リスト２２は所定の領域を有する図形であり、その領域内の位置に楽曲の再生位置が対応付けられている。ここでいう楽曲の再生位置には、再生中の楽曲のトラック番号が該当する。符号２４に示す再生位置マーカは、フォルダＡにおける現在の楽曲の再生位置を示しており、フォルダ名リスト２２上の対応する位置に表示される。すなわち、フォルダ名リスト２２に対する再生位置マーカ２４の表示位置は、現在再生中の楽曲のトラック番号を表している。
【００２０】
再生位置マーカ２４の表示位置が具体的にどのトラック番号を表しているかの判断は、符号２５に示すトラック番号スケールによって行うことができる。トラック番号スケール２５は、フォルダ名リスト２２の領域内の位置とトラック番号との関係を表している。図２（ａ）の画面例では、再生位置マーカ２４がトラック番号スケール２５において「６」の位置に表示されている。すなわち、フォルダＡ内の楽曲のうち、トラック番号６の楽曲が現在再生されていることが分かる。
【００２１】
トラック番号スケール２５には、１から１２まで合計１２のトラック番号が示されているが、フォルダＡ内の楽曲数が所定数（ここでは１２曲）を超えている場合は、符号２６に示すような操作ボタンが表示される。この操作ボタンは、スケール増加ボタンと呼ばれる。スケール増加ボタン２６をユーザがタッチパネル上で押すことにより、トラック番号スケール２５が右側にスクロールして、トラック番号１２よりも大きなトラック番号が表示される。これにより、フォルダＡに数多くの楽曲が含まれていても、その全てのトラック番号をトラック番号スケール２５に表示することができる。
【００２２】
フォルダＢ、フォルダＣおよびフォルダＤについても、フォルダＡと同様のトラック番号スケールがフォルダ名リストの下にそれぞれ表示される。なお、フォルダＣのトラック番号スケールには、符号２７に示す操作ボタンが表示されている。この操作ボタンは、符号２６の操作ボタンとは逆方向にトラック番号スケールをスクロールさせるための操作ボタンであり、スケール減少ボタンと呼ばれる。スケール減少ボタン２７をユーザがタッチパネル上で押すことにより、フォルダＣのトラック番号スケールが左側にスクロールして、現在表示されているトラック番号６よりも小さなトラック番号が表示される。
【００２３】
図２（ａ）の画面においてユーザが再生する楽曲を変更したい場合、次のような操作によって変更することができる。現在再生中のフォルダＡ内で楽曲を変更する場合は、タッチパネルにより、フォルダ名リスト２２の領域内で変更後の楽曲のトラック番号に相当する位置を指定するタッチ操作を行う。すると再生位置マーカ２４がそのタッチ位置に移動し、そのタッチ位置に対応するトラック番号から始まる再生順序で複数の楽曲が再生される。たとえば、符号２９に示す位置がユーザによってタッチされると、図２（ｂ）のような画面が表示され、トラック番号８の楽曲から再生される。このようにすることで、ユーザは聞きたい部分までの頭出しを簡単な操作で行うことができる。
【００２４】
なお、再生位置マーカ２４をタッチしたままの状態で横に移動するドラッグ操作により、再生する楽曲を変更できるようにしてもよい。この場合、画面から指を離した位置によって移動後の再生位置マーカ２４の表示位置が確定され、その位置に応じたトラック番号の楽曲が再生される。
【００２５】
フォルダＡとは違うフォルダ内の楽曲に変更したい場合、ユーザはフォルダＡ以外のいずれかのフォルダ名リストをタッチパネル上で押す。すると、再生する楽曲のフォルダが切り替えられるとともに、そのフォルダ名リストが反転表示される。その後、上記で説明したのと同様の操作を行うことにより、再生中のフォルダ内で楽曲を変更することができる。なお、フォルダを切り替えた後は、そのフォルダ内の最初のトラック番号の楽曲から再生を始めてもよいし、フォルダ名リストにおいてタッチされた位置に応じて、再生する楽曲のトラック番号を指定してもよい。
【００２６】
次に図３の画面内容について説明する。図３（ａ）および（ｂ）は、再生中の楽曲情報をトラック単位で表示した画面例であり、トラック一覧画面という。このトラック一覧画面では、再生中の楽曲と同じフォルダ内にある楽曲のトラック名のリストが一覧表示される。図３（ａ）のトラック一覧画面は、前述したように図２（ａ）のフォルダ一覧画面において、トラックリスト表示ボタン２３がユーザのタッチパネル操作によって選択されることにより表示される。
【００２７】
符号３１に示す再生情報表示ウィンドウには、図２と同様に再生中の楽曲のフォルダ名とトラック名が表示される。なお、ここで表示される再生時間は、図２（ａ）の場合とは異なりトラック単位での再生経過時間である。
【００２８】
符号３２に示すトラック名リストには、再生中のフォルダＡに含まれる楽曲のトラック名の１つが表示される。図３（ａ）の例では、「トラックＡ６」のトラック名が表示されている。同様に、「トラックＡ５」、「トラックＡ７」および「トラックＡ８」を合わせた合計４つのトラック名がリスト表示されている。このうち「トラックＡ６」のトラック名リストは反転表示されており、現在再生中の楽曲であることを表している。なお、各トラック名の前の数字は、トラック番号を表している。
【００２９】
符号３３に示す操作ボタンは、フォルダ一覧画面に戻るための操作ボタンであり、フォルダリスト表示ボタンと呼ばれる。ユーザがフォルダリスト表示ボタン３３をタッチパネル上でタッチすると、図２（ａ）のようなフォルダ一覧画面が表示される。
【００３０】
トラック名リスト３２も図２のフォルダ名リスト２２と同様に所定の領域を有する図形であり、その領域内の位置に楽曲の再生位置が対応付けられている。ここでいう楽曲の再生位置には、楽曲の再生経過時間が該当する。符号３４に示す再生位置マーカは、再生中の楽曲内における現在の再生位置を示しており、トラック名リスト３２上の対応する位置に表示される。すなわち、トラック名リスト３２に対する再生位置マーカ３４の表示位置は、現在の楽曲の再生経過時間を表している。なお、再生位置マーク３４がトラック名リスト３２上のどの辺りに位置しているかにより、楽曲全体に対する再生経過時間の割合を判断することができる。
【００３１】
再生位置マーカ３４の表示位置が具体的にどの程度の再生経過時間を表しているかの判断は、符号３５に示す再生時間スケールによって行うことができる。再生時間スケール３５は、トラック名リスト３２の領域内の位置と再生経過時間との関係を表している。図３（ａ）の画面例では、再生位置マーカ３４が再生時間スケール３５において「３：００」よりも右側の位置に表示されている。すなわち、再生経過時間は３分以上であることが分かる。なお、正確な再生経過時間は、再生情報表示ウィンドウ３１に表示された再生時間から３分１８秒であることが分かる。
【００３２】
再生時間スケール３５は、トラック名リスト３２の左端を時間０、右端を楽曲の総再生時間として、対応する楽曲であるトラックＡ６の最初を起点とした再生経過時間を表している。トラックＡ５、トラックＡ７およびトラックＡ８についても、トラックＡ６と同様の再生時間スケールがトラック名リストの下にそれぞれ表示される。
【００３３】
なお、再生時間スケールは上記のようにトラック名リスト３２の左端を時間０、右端を楽曲の総再生時間として再生経過時間を表すものであるため、そのスケール間隔は楽曲ごとに異なる。全体の再生時間が長い楽曲についてはスケール間隔が狭まり、逆に再生時間が短い楽曲ではスケール間隔が広がる。したがって、スケール間隔が所定値以下となった場合はスケール文字を間引くことにより、文字間隔が詰まり過ぎないようにすることが好ましい。たとえば、トラックＡ８の再生時間スケールでは、スケール文字を間引いて２分間隔としている。
【００３４】
図３（ａ）の画面においてユーザが再生中の楽曲における再生位置を変更したい場合、次のような操作によって変更することができる。現在再生中のトラックＡ６内で再生位置を変更する場合は、タッチパネル操作により、トラック名リスト３２の中で変更後の再生位置に相当する位置を押す。すると、再生位置マーカ３４がそのタッチ位置に移動し、そのタッチ位置に対応する再生経過時間から楽曲が再生される。たとえば、符号３６に示す位置がユーザによってタッチされると、図３（ｂ）のような画面が表示され、楽曲の最初から１分２３秒を経過した位置から再生される。このようにすることで、ユーザは聞きたい部分までの早送りや巻き戻しを簡単な操作で行うことができる。
【００３５】
なお、図２の場合と同様に、再生位置マーカ３４をタッチしながら横に移動するドラッグ操作により、再生位置を変更できるようにしてもよい。この場合、画面から指を離した位置によって移動後の再生位置マーカ３４の表示位置が確定され、その位置に応じた再生経過時間から楽曲が再生される。
【００３６】
トラックＡ６とは違う楽曲に変更したい場合、ユーザはトラックＡ６以外のいずれかのトラック名リストをタッチパネル上で押す。すると、再生する楽曲が切り替えられるとともに、そのトラック名リストが反転表示される。その後、上記で説明したのと同様の操作を行うことにより、再生中の楽曲内で再生位置を変更することができる。なお、楽曲を切り替えた後は、その楽曲の最初から再生を始めてもよいし、トラック名リストにおいてタッチされた位置に応じて、再生開始位置を指定してもよい。
【００３７】
以上説明したような各画面を表示するときに、図１に示す音楽データ記録再生部１１の制御部１１１において実行される処理のフローチャートを図４および図５に示す。図４は、図２のようなフォルダ一覧画面を表示するときのフローチャートであり、図５は、図３のようなトラック一覧画面を表示するときのフローチャートである。以下、図４のフローチャートから先に説明する。
【００３８】
図４のステップＳ１０では、図２に示すようなフォルダ一覧画面をモニタ１２に表示する。ステップＳ２０では、ステップＳ１０で表示したフォルダ一覧画面において、図２のトラックリスト表示ボタン２３がユーザのタッチパネル操作によって押されたか否かを判定する。押された場合は、図５のフローチャートのステップＳ２１０へ進み、図３のようなトラック一覧画面を表示する。押されなかった場合は、ステップＳ３０へ進む。
【００３９】
ステップＳ３０では、表示中のフォルダ一覧画面において、現在楽曲を再生中のフォルダ名リストがユーザのタッチパネル操作によってタッチされたか否かを判定する。タッチされた場合は、ステップＳ４０において、再生位置マーカ２４をそのタッチ位置へ移動するとともに、ステップＳ５０において、そのタッチ位置に対応するトラック番号の楽曲を再生する。このようにして再生する楽曲の変更が行われることにより、タッチ位置に応じて楽曲の再生位置が制御される。ステップＳ５０を実行したらステップＳ６０へ進む。一方、ステップＳ３０において再生中のフォルダ名リストへのタッチ操作が検出されたかった場合は、ステップＳ４０、Ｓ５０を実行せずにステップＳ６０へ進む。
【００４０】
ステップＳ６０では、表示中のフォルダ一覧画面において、現在楽曲を再生中ではないフォルダ名リストがユーザのタッチパネル操作によってタッチされたか否かを判定する。タッチされた場合は、ステップＳ７０において、再生位置マーカ２４をそのタッチ位置のフォルダ名リストへ移動するとともに、ステップＳ８０において、そのタッチ位置のフォルダ内の楽曲を再生する。このようにして再生する楽曲のフォルダが切り替えられることにより、タッチ位置に応じて楽曲の再生位置が制御される。ステップＳ８０を実行したらステップＳ９０へ進む。一方、ステップＳ６０において再生中ではないフォルダ名リストへのタッチ操作が検出されたかった場合は、ステップＳ７０、Ｓ８０を実行せずにステップＳ９０へ進む。
【００４１】
ステップＳ９０では、再生中の楽曲が終了したか否かを判定する。楽曲が終了した場合はステップＳ１００へ進み、再生位置マーカ２４を次のトラック番号へ移動する。次のステップＳ１１０では、次のトラック番号の楽曲、すなわちステップＳ１００における再生位置マーカ２４の移動先のトラック番号の楽曲を再生する。
【００４２】
ステップＳ１１０を実行した後は、ステップＳ１０へ戻って上記のような処理を繰り返す。一方、ステップＳ９０において再生中の楽曲がまだ終了していないと判定された場合は、ステップＳ１００、Ｓ１１０を実行せずにステップＳ１０へ戻り、上記のような処理を繰り返す。以上説明した処理によりフォルダ一覧画面が表示され、その表示内容にしたがって音楽データの再生が行われる。
【００４３】
次に図５のフローチャートについて説明する。図５のステップＳ２１０では、図３に示すようなトラック一覧画面をモニタ１２に表示する。ステップＳ２２０では、ステップＳ２１０で表示したトラック一覧画面において、図３のフォルダリスト表示ボタン３３がユーザのタッチパネル操作によって押されたか否かを判定する。押された場合は、図４のフローチャートのステップＳ２０へ進み、図２のようなフォルダ一覧画面を表示する。押されなかった場合は、ステップＳ２３０へ進む。
【００４４】
ステップＳ２３０では、表示中のトラック一覧画面において、現在楽曲を再生中のトラック名リストがユーザのタッチパネル操作によってタッチされたか否かを判定する。タッチされた場合は、ステップＳ２４０において、再生位置マーカ３４をそのタッチ位置へ移動するとともに、ステップＳ２５０において、そのタッチ位置に対応する再生位置から楽曲を再生する。このようにして再生位置の変更が行われることにより、タッチ位置に応じて楽曲の再生位置が制御される。ステップＳ２５０を実行したらステップＳ２６０へ進む。一方、ステップＳ２３０において再生中のトラック名リストへのタッチ操作が検出されたかった場合は、ステップＳ２４０、Ｓ２５０を実行せずにステップＳ２６０へ進む。
【００４５】
ステップＳ２６０では、表示中のトラック一覧画面において、現在楽曲を再生中ではないトラック名リストがユーザのタッチパネル操作によってタッチされたか否かを判定する。タッチされた場合は、ステップＳ２７０において、再生位置マーカ３４をそのタッチ位置のトラック名リストへ移動するとともに、ステップＳ２８０において、そのタッチ位置のトラック名の楽曲を再生する。このようにして再生する楽曲が切り替えられることにより、タッチ位置に応じて楽曲の再生位置が制御される。ステップＳ２８０を実行したらステップＳ２９０へ進む。一方、ステップＳ２６０において再生中ではないトラック名リストへのタッチ操作が検出されたかった場合は、ステップＳ２７０、Ｓ２８０を実行せずにステップＳ２９０へ進む。
【００４６】
ステップＳ２９０では、画面表示を更新するための所定の再生時間が経過したか否かを判定する。所定の再生時間、たとえば１秒が経過した場合はステップＳ３００へ進み、再生位置マーカ３４をその再生経過時間に応じた移動量で移動する。一方、ステップＳ２９０において所定の再生時間が経過していないと判定された場合は、ステップＳ２１０へ戻って上記のような処理を繰り返す。
【００４７】
ステップＳ３１０では、再生中の楽曲が終了したか否かを判定する。楽曲が終了した場合はステップＳ３２０へ進み、再生位置マーカ３４を次のトラック番号のトラック名リストの上に移動する。次のステップＳ３３０では、次のトラック番号の楽曲、すなわちステップＳ３２０における再生位置マーカ３４の移動先のトラック名の楽曲を再生する。
【００４８】
ステップＳ３３０を実行した後は、ステップＳ２１０へ戻って上記のような処理を繰り返す。一方、ステップＳ３１０において再生中の楽曲がまだ終了していないと判定された場合は、ステップＳ３２０、Ｓ３３０を実行せずにステップＳ２１０へ戻り、上記のような処理を繰り返す。以上説明した処理によりトラック一覧画面が表示され、その表示内容にしたがって音楽データの再生が行われる。
【００４９】
以上説明した実施の形態によれば、次の作用効果が得られる。
（１）フォルダ一覧画面やトラック一覧画面において、フォルダ名を表示したフォルダ名リストや、トラック名を表示したトラック名リストを表示する（ステップＳ１０、Ｓ２１０）。このフォルダ名リストやトラック名リストの領域内を指定するタッチ操作がタッチパネルにより検出された場合（ステップＳ３０、Ｓ６０、Ｓ２３０、Ｓ２６０）、そのタッチ位置に応じて楽曲の再生位置を制御することとした（ステップＳ５０、Ｓ８０、Ｓ２５０、Ｓ２８０）。このようにしたので、音楽を再生出力するときに、ユーザはタッチ操作による簡単な操作で聞きたい部分を指定することができる。
【００５０】
（２）現在の楽曲の再生位置を示す再生位置マーカを、フォルダ名リストやトラック名リスト上の対応する位置に表示することとした（ステップＳ４０、Ｓ７０、Ｓ１００、Ｓ２４０、Ｓ２７０、Ｓ３００、Ｓ３２０）。このようにしたので、ユーザは現在の楽曲の再生位置を容易に把握することができる。
【００５１】
（３）フォルダ一覧画面においては、楽曲の再生位置をトラック番号により表し、タッチ位置に対応するトラック番号から始まる再生順序で複数の楽曲を再生する（ステップＳ５０）ことにより、楽曲の再生位置を制御することとした。このようにしたので、ユーザは聞きたい部分までの頭出しを簡単な操作で行うことができる。
【００５２】
（４）トラック一覧画面においては、楽曲の再生位置を再生経過時間により表し、タッチ位置に対応する再生経過時間から楽曲を再生する（ステップＳ２５０）ことにより、楽曲の再生位置を制御することとした。このようにしたので、ユーザは聞きたい部分までの早送りや巻き戻しを簡単な操作で行うことができる。
【００５３】
（５）フォルダ一覧画面においては、トラック番号スケールを表示することとしたので、ユーザはフォルダ名リストにおける位置とトラック番号との関係を容易に把握することができる。
【００５４】
（６）トラック一覧画面においては、再生時間スケールを表示することとしたので、ユーザはトラック名リストにおける位置と再生経過時間との関係を容易に把握することができる。
【００５５】
（７）フォルダ一覧画面においては、楽曲の再生位置の制御に用いる図形として、複数の楽曲が属するフォルダ名が表示されたフォルダ名リストを用いているので、無駄のない効率的な画面表示を行うことができる。
【００５６】
（８）トラック一覧画面においては、楽曲の再生位置の制御に用いる図形として、楽曲のトラック名が表示されたトラック名リストを用いているので、無駄のない効率的な画面表示を行うことができる。
【００５７】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００５８】
また、上記の実施の形態ではナビゲーション装置と組み合わせた例を説明したが、ナビゲーション機能を有さない各種の車載情報端末、たとえばカーオーディオ装置などにおいても、本発明は適用可能である。
【００５９】
以上説明した各実施の形態や各種の変形例はあくまで一例であり、発明の特徴が損なわれない限り、本発明はこれらの内容に限定されない。
【００６０】
上記の実施の形態では、本発明の各手段を制御部１１１の処理によって実現している。なお、以上の説明はあくまで一例であり、発明を解釈する際、上記の実施形態の記載事項と特許請求の範囲の記載事項の対応関係には何ら限定も拘束もされない。
【図面の簡単な説明】
【００６１】
【図１】本発明の一実施形態による音楽データ記録再生機能付き車載ナビゲーション装置の構成を示す図である。
【図２】フォルダ一覧画面の例である。
【図３】トラック一覧画面の例である。
【図４】フォルダ一覧画面を表示するときのフローチャートである。
【図５】トラック一覧画面を表示するときのフローチャートである。
【符号の説明】
【００６２】
１  ナビゲーション装置
２  オーディオ装置
１０  ナビゲーション部
１１  音楽データ記録再生部
１２  モニタ
１３  ＨＤＤ
１４  ＣＤ／ＤＶＤドライブ
１０１  演算処理部
１０２  現在地検出部
１０３  入力操作部
１１１  制御部
１１２  再生出力部
【図１】
0004708163.tif 000002
【図２】
0004708163.tif 000003
【図３】
0004708163.tif 000004
【図４】
0004708163.tif 000005
【図５】
0004708163.tif 000006